(57)【要約】【課題】より直感的な操作で、より操作性の向上をはかる。【解決手段】携帯端末装置１は、入力部（タッチセンサ１２）と表示部（ディスプレイ１１）と、入力部により前記表示部により表示された文字に対して行われた入力の位置に応じて予め定義された、文字修飾、または、文字の削除、または、文字の変換のためのいずれかの処理を実行する制御部（ＣＰＵ１００）とを有する。【選択図】図２
2014044673.tif 000002
【特許請求の範囲】
【請求項１】
少なくとも、入力部と表示部とを有する携帯端末装置において、
前記入力部により前記表示部により表示された文字に対して行われた入力の位置に応じて予め定義された、文字修飾、または、文字の削除、または、文字の変換のためのいずれかの処理を実行する制御部、
を備えたことを特徴とする携帯端末装置。
【請求項２】
前記制御部は、
前記文字の色を変更する前記文字修飾のための処理を実行することを特徴とする請求項１記載の携帯端末装置。
【請求項３】
前記制御部は、
前記文字のフォントを変更する前記文字修飾のための処理を実行することを特徴とする請求項１記載の携帯端末装置。
【請求項４】
前記制御部は、
前記表示部の画面の一部に表示されるポップアップウインドウに、前記文字修飾とは異なる文字修飾の種類を示す項目を表示し、前記入力部による前記項目の選択操作を取り込んで更なる文字修飾のための処理を実行することを特徴とする請求項１〜３のいずれか１項記載の携帯端末装置。
【請求項５】
前記制御部は、
更に、指定された入力位置によって検知される接触面積、圧力、速度の少なくとも一つにより予め定義された前記文字修飾のための処理を実行することを特徴とする請求項１記載の携帯端末装置。
【請求項６】
前記制御部は、
前記表示部の画面の一部に表示されるポップアップウインドウに、前記文字の変換候補文字を表示し、前記入力部による選択操作を取り込んで所望の文字に変換する、前記変換のための処理を実行することを特徴とする請求項１記載の携帯端末装置。
【請求項７】
少なくとも入力部と表示部とを有する携帯端末装置における文字の編集方法であって、
前記入力部により前記表示部により表示された文字に対して行われた入力の位置を検知するステップと、
前記検知された入力の位置に応じて予め定義された、文字修飾、または、文字の削除、または、文字の変換のためのいずれかの処理を実行するステップと、
を有することを特徴とする携帯端末装置における文字の編集方法。
【請求項８】
コンピュータによって制御され、少なくとも入力部と表示部とを有する携帯端末装置に使用されるプログラムであって、
前記コンピュータに、
前記入力部により前記表示部により表示された文字に対して行われた入力の位置を検知する処理と、
前記検知された入力の位置に応じて予め定義された、文字修飾、または、文字の削除、または、文字の変換のためのいずれかの処理を実行する処理と、
を実行させるプログラム。
【発明の詳細な説明】
【技術分野】
【０００１】
本発明は、画面に表示された文字の、修飾、削除、または変換のための処理を実行する、携帯端末装置、および同装置における文字の編集方法、ならびにプログラムに関する。
【背景技術】
【０００２】
従来、ユーザにより入力された文字列に基づき、住所や施設を検索可能なナビゲーション装置が知られている（例えば、特許文献１参照）。特許文献１によれば、下方向キーを長押しして検索文字列を次の文字まで移動させることにより、検索入力時の操作性向上がはかれる。
【先行技術文献】
【特許文献】
【０００３】
【特許文献１】特開２０１１−１４１７２５号公報
【発明の概要】
【発明が解決しようとする課題】
【０００４】
ところで、従来、文書中の文字列の一部を強調して他の文字列と区別する文字修飾処理が知られている。文字修飾処理とは、文書中の文字列に何らかの飾りの要素を付加する処理のことであり、修飾属性として、例えば、下線、取消線、網掛け、色付け、フォント等が知られている。
【０００５】
文字修飾のためには、上記した修飾属性と、修飾対象文字列の２つを指定する必要がある。スマートフォン等の携帯端末装置ではこの文字修飾を実行するにあたり、より直感的な操作が求められている。また、文字修飾属性を指定することなく文字修飾対象文字列のみ指定することで文字修飾ができれば操作性も格段に向上するはずである。なお、この要求は文字修飾に制限されるものでなく、削除処理や漢字変換処理においても同様の要求がある。
【０００６】
本発明は上記した課題を解決するためになされたものであり、より直感的な操作で、より操作性の向上をはかった、携帯端末装置、および同装置における文字の編集方法、ならびにプログラムを提供することを目的とする。
【課題を解決するための手段】
【０００７】
上記した課題を解決するために本発明は、少なくとも、入力部と表示部とを有する携帯端末装置において、前記入力部により前記表示部により表示された文字に対して行われた入力の位置に応じて予め定義された、文字修飾、または、文字の削除、または、文字の変換のためのいずれかの処理を実行する制御部、を備えたことを特徴とする。
【０００８】
本発明の携帯端末装置において、前記制御部は、前記文字の色を変更する前記文字修飾のための処理を実行することを特徴とする。
【０００９】
本発明の携帯端末装置において、前記制御部は、前記文字のフォントを変更する前記文字修飾のための処理を実行することを特徴とする。
【００１０】
本発明の携帯端末装置において、前記制御部は、前記表示部の画面の一部に表示されるポップアップウインドウに、前記文字修飾とは異なる文字修飾の種類を示す項目を表示し、前記入力部による前記項目の選択操作を取り込んで更なる文字修飾のための処理を実行
することを特徴とする。
【００１１】
本発明の携帯端末装置において、前記制御部は、更に、指定された入力位置によって検知される接触面積、圧力、速度の少なくとも一つにより予め定義された前記文字修飾のための処理を実行することを特徴とする。
【００１２】
本発明の携帯端末装置において、前記制御部は、前記表示部の画面の一部に表示されるポップアップウインドウに、前記文字の変換候補文字を表示し、前記入力部による選択操作を取り込んで所望の文字に変換する、前記変換のための処理を実行することを特徴とする。
【００１３】
本発明は、少なくとも入力部と表示部とを有する携帯端末装置における文字の編集方法であって、前記入力部により前記表示部により表示された文字に対して行われた入力の位置を検知するステップと、前記検知された入力の位置に応じて予め定義された、文字修飾、または、文字の削除、または、文字の変換のためのいずれかの処理を実行するステップと、を有することを特徴とする。
【００１４】
本発明は、コンピュータによって制御され、少なくとも入力部と表示部とを有する携帯端末装置に使用されるプログラムであって、前記コンピュータに、前記入力部により前記表示部により表示された文字に対して行われた入力の位置を検知する処理と、前記検知された入力の位置に応じて予め定義された、文字修飾、または、文字の削除、または、文字の変換のためのいずれかの処理を実行する処理と、を実行させることを特徴とする。
【発明の効果】
【００１５】
本発明によれば、より直感的な操作で、より操作性の向上をはかった、携帯端末装置、および同装置における文字の編集方法、ならびにプログラムを提供することができる。
【図面の簡単な説明】
【００１６】
【図１】本発明の実施の形態に係る携帯端末装置の外観構成図である。
【図２】本発明の実施の形態に係る携帯端末装置の構成を示すブロック図である。
【図３】本発明の実施の形態に係る携帯端末装置の動作を示すフローチャートである。
【図４】本発明の実施の形態に係る携帯端末装置の動作を概念的に示した図である。
【図５】本発明の実施の形態に係る携帯端末装置の動作を画面上に展開して示した図である。
【発明を実施するための形態】
【００１７】
以下、添付図面を参照して本発明を実施するための実施の形態（以下、単に本実施形態という）について詳細に説明する。
【００１８】
（実施形態の構成）
図１（ａ）は、本実施形態に係る携帯端末装置１の外観正面図、（ｂ）は側面図である。図２は、携帯端末装置１の構成を示すブロック図である。本実施形態に係る携帯端末装置１の構成を図１及び図２の双方を使用して説明する。
【００１９】
携帯端末装置１は、薄型の長方形状のキャビネット１０を有する。キャビネット１０の正面側には、タッチパネルＴＰが配置され、このタッチパネルＴＰは、表示部と入力部が一体的に形成されており、表示部としてのディスプレイ１１と、入力部としてのタッチセンサ１２とを備える。
【００２０】
ディスプレイ１１は、液晶パネル１１ａと、液晶パネル１１ａを照明するバックライト１１ｂにより構成されている。液晶パネル１１ａは、画像を表示するための表示面１１ｃを表に有し、表示面１１ｃが外部に現れる。表示面１１ｃには、多数のアプリケーションのショートカットアイコンが並べられたホーム画面や、これらアプリケーションに基づく実行画面が表示される。なお、液晶パネル１１ａに代えて、有機ＥＬ（Organic  Electro-Luminescense）など他の表示素子を用いてもよい。
【００２１】
タッチセンサ１２は、表示面１１ｃの上に透明なシート状に形成されており、タッチセンサ１２を透して表示面１１ｃを見ることができる。また、タッチセンサ１２は、ユーザがタッチした表示面１１ｃ上の位置（以下、「入力位置」と言う。）を検出し、その入力位置に応じた位置信号を後述するＣＰＵ１００へ出力する。なお、表示面１１ｃにタッチするとは、実際には、タッチセンサ１２を覆うカバーの表面における表示面１１ｃに相当する領域を触れることである。
【００２２】
タッチセンサ１２は、例えば、静電容量式のタッチセンサであり、マトリクス状に配された第１透明電極、第２透明電極及びカバーを備え、その第１及び第２透明電極間の静電容量の変化を検出することによって、入力位置を検出する。タッチセンサ１２は、静電容量式のタッチセンサに限られず、超音波式、感圧式、抵抗腹式、光検出式等のタッチセンサであってもよい。
【００２３】
ユーザは、自身の指、又はペンなどの接触部材（簡単のため、以下、単に「指」と言う）によって表示面１１ｃを触れ、ドラッグや後述するピンチイン操作によるオブジェクトの移動や、タップ操作による選択実行等、各種操作を行うことができる。なお、ここで使用されるタッチセンサ１２はマルチタッチに対応しており、例えば、２本指によって表示面１１ｃ上のオブジェクトに指を載せ、開くことでズームし、閉じることでズームアウトする、「ピンチズーム」、「ピンチイン」の操作も可能である。
【００２４】
なお、タッチパネルＴＰの縦方向の下方には、タッチキー１３ａ，１３ｂ，１３ｃから成るキー操作部１３が配置されている。タッチキー１３ａ〜１３ｃは、具体的には、ホームキー１３ａ、設定キー１３ｂ、バックキー１３ｃである。ホームキー１３ａは、ホーム画面を表示面１１ｃに表示させるためのキーである。設定キー１３ｂは、各種設定を行う設定画面を表示面１１ｃに表示させるためのキーである。バックキー１３ｃは、アプリケーションの実行の際、表示面１１ｃに表示される画面を１ステップ前の画面に戻すためのキーである。
【００２５】
キャビネット１０の正面側には、縦方向の下部にマイクロホン（マイクと言う）１４が配されており、上部にスピーカ１５が配置されている。ユーザは、スピーカ１５からの音声を耳で捉え、マイク１４に対して音声を発することにより通話を行うことができる。キャビネット１０の背面側には、カメラモジュール１６が配置されている。キャビネット１０の背面には、レンズ窓（図示せず）が配されており、レンズ窓から被写体の画像がカメラモジュール１６に取り込まれる。
【００２６】
更に、携帯端末装置１は、図２に示すように、上述した各構成要素の他、ＣＰＵ１００と、メモリ１０１と、画像処理部１０２と、キー入力部１０３と、音声エンコーダ１０４と、音声デコーダ１０５と、映像エンコーダ１０６と、通信モジュール１０７と、加速度センサ１０８とを備える。更に、ＣＰＵ１００は、表示制御部１２０を備えている。
【００２７】
画像処理部１０２は、ＣＰＵ１００から入力された制御信号に従ってディスプレイ１１に表示される画像を生成し、画像データをＶＲＡＭ（Video RAM：ブライム）１０２ａに
記憶させる。更に、そのＶＲＡＭ１０２ａに記憶された画像データを含む画像信号を、デ
ィスプレイ１１へ出力する。また、画像処理部１０２は、ディスプレイ１１を制御するための制御信号を出力し、ディスプレイ１１のバックライト１１ｂを点灯又は消灯させる。このようにして、バックライト１１ｂから放出された光が、画像信号に基づいて液晶パネル１１ａにより変調されることにより、ディスプレイ１１の表示面１１ｃに画像が表示される。
【００２８】
キー入力部１０３は、キー操作部１３の各キーが押下された際に、押下キーに応じた信号をＣＰＵ１００へ出力する。音声エンコーダ１０４は、マイク１４で集音した音声に応じて出力される音声信号をデジタルの音声信号に変換し、ＣＰＵ１００へ出力する。音声デコーダ１０５は、ＣＰＵ１００からの音声信号にデコード処理及びＤ／Ａ変換処理を施し、変換されたアナログの音声信号をスピーカ１５へ出力する。
【００２９】
通信モジュール１０７は、通話や通信のための電波を送受信するアンテナを備える。通信モジュール１０７は、ＣＰＵ１００から入力される信号を無線信号に変換し、変換された無線信号を、アンテナを介して、基地局や他の通信装置等の通信先へ送信する。また、通信モジュール１０７は、アンテナを介して受信した無線信号をＣＰＵ１００が利用できる形式の信号へ変換し、変換された信号をＣＰＵ１００へ出力する。
【００３０】
メモリ１０１は、ＲＯＭ及びＲＡＭを含み、ＣＰＵ１００に制御機能を付与するための制御プログラムと、種々のアプリケーションが記憶されている。また、メモリ１０１は、アプリケーションの実行の際に一時的に利用又は生成される各種のデータを記憶する、ワーキングメモリとしても使用される。なお、後述する本発明のプログラムも上記したアプリケーションの一つとしてメモリ１０１の所定の領域に割当てられ格納されている。
【００３１】
ＣＰＵ１００は、制御プログラムに従って、カメラモジュール１６、マイク１４、通信モジュール１０７、ディスプレイ１１、タッチセンサ１２、スピーカ１５等、各構成要素を制御することにより、通話、カメラ、電子メール、Ｗｅｂブラウザ、地図、音楽プレーヤ等、各種のアプリケーションを実行する。
【００３２】
ＣＰＵ１００は、ディスプレイ１１（表示部）の画面に表示された文字の、タッチセンサ１２（入力部）により指定された入力位置に応じて予め定義された、文字修飾、削除、または変換のためのいずれかの処理を実行する、制御部としての機能を実現する。文字修飾のための処理として、例えば、文字の色の変更、文字フォントの変更がある。
【００３３】
ＣＰＵ１００は、ディスプレイ１１の画面の一部に表示されるポップアップウインドウに、上記の文字修飾とは異なる文字修飾の種類を示す項目（例えば、ハッチングやボルト）を表示し、タッチセンサ１２による項目の選択操作を取り込んで更なる文字修飾のための処理を実行してもよい。また、ＣＰＵ１００は、指定によって検知される接触面積、圧力、速度の少なくとも一つにより予め定義された文字修飾のための処理を実行してもよい。
【００３４】
なお、ＣＰＵ１００は、上記した文字修飾処理の他に、ディスプレイ１１の画面の一部に表示されるポップアップウインドウに、文字の変換候補文字を表示し、タッチセンサ１２による選択操作を取り込んで所望の文字に変換する、例えば、漢字変換のための処理、あるいは文字削除のための処理も実行する。
【００３５】
加速度センサ１０８は、携帯端末装置１本体の傾き時の加速度を検出（又は検出ともいう）する。加速度センサ１０８は３軸加速度センサであり、図１に示すＸ軸方向、Ｙ軸方向及びＺ軸方向の３方向に生じる加速度を検出する。例えば、携帯端末装置１が、地面に対して縦方向から横方向、又は横方向から縦方向に傾けられた際に、その傾き角度に応じ
た加速度が検出される。更に、加速度センサ１０８は、検出した加速度に応じた加速度信号をＣＰＵ１００へ出力する。携帯端末装置１が静止状態にあるときには、携帯端末装置１に加わる重力加速度が加速度センサ１０８により検出される。加速度センサ１０８は、例えば、画面が常に正しい向きに表示されるようにしている。
【００３６】
（実施形態の動作）
以下、本実施形態に係る携帯端末装置１の動作につき、図３〜図５を使用して詳細に説明する。
【００３７】
ユーザがディスプレイ１１（液晶パネル１１ａ）の画面上に表示される文字列の先頭位置をタッチしながらなぞるスライド操作を行うことによって、タッチセンサ１２を介して検出される修飾文字位置と修飾属性とからなる文字修飾のための指定入力があると（ステップＳ１０１“Ｙｅｓ”）、携帯端末装置１（ＣＰＵ１００）は、まずその文字位置を取り込む（ステップＳ１０２）。このとき、ＣＰＵ１００は、ディスプレイ１１画面上に更なる文字修飾を促すために文字修飾項目の一覧を示すポップアップウインドウを表示してもよい。
【００３８】
続いて、ＣＰＵ１００は、入力位置を判定し（ステップＳ１０３）、その入力位置が文字列の中央であれば（ステップＳ１０３“中央”）、その文字列に取消し線を付加する文字修飾処理を実行し（ステップＳ１０４）、下部であれば（ステップＳ１０３“下部”）、その文字列に下線を付加する文字修飾処理を実行し、その処理結果を画像処理部１０２に出力する（ステップＳ１０５）。すなわち、ＣＰＵ１００は、液晶パネル１１ａ上の文字列のタッチ位置とスライド操作とを同時（リアルタイム）に検出すると、その文字列に下線や取消し線を付加する文字修飾情報を生成する。
【００３９】
なお、ＣＰＩ１００は、入力位置の判定にあたり、文字修飾処理の結果について、画像処理部１０２を介してディスプレイ１１（液晶パネル１１ａ）に出力するために、文字の表示位置情報と文字サイズとを算出して出力する。具体的に、例えば、液晶パネル１１ａに割り付けられるＬ行目の文字ベースライン（例えば、文字フォントの左下）の座標を（Ｘ，Ｙ）、文字フォントの高さをＨ、液晶パネル１１ａの左下位置の座標を（０，０）、スライド操作開始時の液晶パネル１１ａのタッチ位置座標を（Ｘｔ，Ｙｔ）としたときに、以下に列挙する条件（１）〜（３）が成立する場合に、それぞれのスライド操作があったと判定する。
【００４０】
すなわち、
・  Ｙ＋１／３＊Ｈ＞Ｙｔ，Ｙ≦Ｙｔの場合→文字の下部
・  Ｙ＋１／３＊Ｈ＜Ｙｔ，Ｙ＋２／３＊Ｈ≧Ｙｔの場合→文字の中央
・  Ｙ＋２／３＊Ｈ＜Ｙｔ，Ｙ＋Ｈ≧Ｙｔの場合→文字の上部
【００４１】
画像処理部１０２は、例えば、図４（ａ）に示すように、文字列の上部に対してスライド操作が行われた場合は、取消し線が付加された文字列パターンからなる表示情報を生成する。また、別の例として、文字列の下方に対してスライド操作が行われた場合は、図４（ｂ）に示す下線が付加された文字列パターンからなる表示情報を生成する。画像処理部１０２により生成された表示情報は、内蔵するＶＲＡＭ１０２ａに書き込まれる。続いて、表示制御部１２０は、ディスプレイ１１（液晶パネル１１ａ）の表示タイミングに同期して画像処理部１０２が内蔵するＶＲＡＭ１０２ａからその表示情報を読み出し、ディスプレイ１１（液晶パネル１１ａ）に出力することにより、所望の表示を得ることができる。なお、例えば、下線表示を意図してスライド操作を行ったのに取り消し線が表示された場合等は、後述するようにＵＮＤＯやスライド操作の終点位置により文字修飾処理の変更等、編集が可能である。
【００４２】
液晶パネル１１ａに、例えば、図５（ａ）に示すように、文字が入力されている状態で任意の文字列に対してスライド操作を行うと、文字列の高さＨに対する操作開始位置に応じて文字修飾処理が実行される。ここでは、文字列の高さＨの中央部に対して操作が行われたため、取消し線が付加されることになる。この文字修飾された文字列パターンが表示された後、ＣＰＵ１００は、例えば、図５（ｂ）に一例が示されているポップアップウインドウを表示してポップアップの項目選択入力を待つ（ステップＳ１０６）。図５（ｂ）によれば、選択項目として、ＯＫ（確定），ＵＮＤＯ（直前の操作の取消し）の他に、Ｂｏｌｄ（太字）、Ｕｎｄｅｒｌｉｎｅ（下線）、Ｈａｔｃｈｉｎｇ（ハッチング）等、他の文字修飾のための項目が例示されている。ここで、項目入力があれば（ステップＳ１０６“Ｙｅｓ”）、ＣＰＵ１００は、その選択項目に応じた更なる文字修飾処理、あるいは操作の確定や変更処理を実行する（ステップＳ１０７）。例えば、ポップアップウインドウでＵｎｄｅｒｌｉｎｅの項目を選択すると、図５（ｃ）に示すように先のスライド操作で選択された文字列に付加された取消し線が下線に変更される。
【００４３】
最後に、ＣＰＵ１００は、確定入力操作（ＯＫの項目選択）があると（ステップＳ１０８“Ｙｅｓ”）、図５（ｃ）の画面に示されるようにポップアップウインドウを消して上記した一連の文字修飾処理が終了する。
【００４４】
なお、本実施形態に係る携帯端末装置１において、文字修飾処理として、下線、取消し線についてのみ例示したが、他に、ハッチング、ボルト、網掛け等による文字強調、更には、色付け、文字フォントの変更等についても同様に応用が可能である。また、文字修飾処理のみならず、文字列の削除、漢字変換処理における同音異義語の選択等についても同様に応用が可能である。
【００４５】
（実施形態の効果）
本実施形態に係る携帯端末装置１によれば、制御部（ＣＰＵ１００）は、表示部（ディスプレイ１１）の画面に表示された文字の、入力部（タッチセンサ１２）により指定された入力位置に応じて予め定義された、文字修飾処理を実行することにより、直感的な操作で、より操作性の向上をはかることができる。なお、制御部（ＣＰＵ１００）は、上記した文字修飾処理の他に、表示部（ディスプレイ１１）の画面の一部に表示されるポップアップウインドウに、文字の変換候補文字を表示し、タッチセンサ１２による選択操作を取り込んで所望の文字に変換する、例えば、漢字変換のための処理、あるいは文字削除のための処理も実行することができる。
【００４６】
また、本実施形態に係る携帯端末装置１によれば、制御部（ＣＰＵ１００）は、表示部（ディスプレイ１１）の画面の一部に表示されるポップアップウインドウに、上記の文字修飾とは異なる文字修飾の種類を示す項目を表示し、入力部（タッチセンサ１２）による項目の選択操作を取り込んで更なる文字修飾のための処理を実行することにより、また、入力部（タツチセンサ１２）により、指定入力時に検知される接触面積、圧力、速度の少なくとも一つにより予め定義された文字修飾のための処理を実行することにより、一層直感的な操作が可能になり、かつ、ユーザに利便性を提供することができる。
【００４７】
なお、本実施形態に係る文字の編集方法は、例えば、図１、図２に示すように、少なくとも入力部と表示部とを有する携帯端末装置に適用される文字の編集方法である。そして、例えば、図３に示すように、前記表示部の画面に表示された文字の、前記入力部により指定された入力位置を検知するステップ（Ｓ１０１〜Ｓ１０３）と、前記検知された入力位置に応じて予め定義された文字修飾、削除、または変換のいずれかの処理を実行するステップ（Ｓ１０４〜Ｓ１０８）と、を有するものである。
【００４８】
本実施形態に係る文字の編集方法によれば、携帯端末装置は、画面に表示された文字の指定された入力位置に応じて、予め定義された文字修飾処理を実行することにより、より直感的な操作で編集が可能であり、その際に、より操作性の向上がはかれる。なお、文字修飾処理の他に、画面の一部に表示されるポップアップウインドウに、文字の変換候補文字を表示し、その選択操作を取り込んで所望の文字に変換する、例えば、漢字変換のための処理、あるいは文字削除のための処理も実行することができる。
【００４９】
また、本実施形態に係るプログラムは、例えば、図２に示すように、コンピュータ（ＣＰＵ１００）によって制御され、少なくとも入力部（タツチセンサ１２）と表示部（ディスプレイ１１）とを有する携帯端末装置１に使用されるプログラムである。そして、例えば、図３に示すように、前記コンピュータに、前記表示部の画面に表示された文字の、前記入力部により指定された入力位置を検知する処理（Ｓ１０１〜Ｓ１０３）と、前記検知された入力位置に応じて予め定義された、文字修飾、削除、または変換のいずれかの処理を実行する処理（Ｓ１０４〜Ｓ１０８）と、を実行させる。
【００５０】
本実施形態に係るプログラムによれば、携帯端末装置１の制御部（ＣＰＵ１００）が、メモリ１０１の所定の領域に格納されたプログラムを読み出して逐次実行することにより、画面に表示された文字の指定された入力位置に応じて、予め定義された文字修飾処理を実行することができ、その結果、より直感的な操作で、より操作性の向上をはかった携帯端末装置を提供することができる。なお、文字修飾処理の他に、画面の一部に表示されるポップアップウインドウに、文字の変換候補文字を表示し、その選択操作を取り込んで所望の文字に変換する、例えば、漢字変換のための処理、あるいは文字削除のための処理も実行することができる。
【００５１】
なお、本実施形態に係る携帯端末装置１によれば、スマートフォンを例示したが、タブレット端末、タッチパッド等、タッチパネルを入出力装置として有するＰＣ（Personal Computer）全般への適用が可能である。
【００５２】
以上、本発明の好ましい実施形態について詳述したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５３】
１…携帯端末装置、ＴＰ…タッチパネル、１１…ディスプレイ（表示部）、１２…タッチセンサ（入力部）、１００…ＣＰＵ（制御部）、１０１…メモリ、１０２…画像処理部、１２０…表示制御部。
【図１】
2014044673.tif 000003
【図２】
2014044673.tif 000004
【図３】
2014044673.tif 000005
【図４】
2014044673.tif 000006
【図５】
2014044673.tif 000007